(57)【要約】【課題】楽器の機能と脚部用運動器材の機能とを兼ね備え、利用者が足で踏むことによりキーボードを弾くことができる足踏み式キーボードを提供することを目的とする。【解決手段】上記課題を解決するため、地面に広げることができる踏みマットに複数の音階キーと、スピーカーとを具備し、上記踏みマットは、該踏みマットの内部に音の出る電子回路を具備し、上記電子回路は、各音階キーが踏まれたとき、上記スピーカーから予め上記各音階キーに設定された高さの音が出るように設計され、電源が交流或は直流により供給される構成とされる。【選択図】　　　図１
0003097657.tif 000002
【実用新案登録請求の範囲】
【請求項１】
地面に広げることができる踏みマットに複数の音階キーと、スピーカーとを具備し、
上記踏みマットは、該踏みマットの内部に音の出る電子回路を具備し、
上記電子回路は、各音階キーが踏まれたとき、上記スピーカーから予め上記各音階キーに設定された高さの音が出るように設計され、電源が交流或は直流により供給されることを特徴とする足踏み式キーボード。
【請求項２】
上記踏みマットは、表面層の材料に折りたたんで収納することができる軟質プラスチックシートを使用することを特徴とする請求項１記載の足踏み式キーボード。
【請求項３】
上記踏みマットは、一つの表示板を具備することを特徴とする請求項１又は２記載の足踏み式キーボード。
【請求項４】
上記音階キーは、上列、中列、下列の３列に区分され、上記上列、上記中列、上記下列のそれぞれには、上記中列の中心に立った使用者が足で操作しやすい位置に配列され、
上記中列の左右に３個ずつ中音階の上記音階キーが配列され、
上記上列の中心に音量調節キー及びメロディー選択キーが配列され、上記上列中心の左右に３個ずつ１つの中音階及び５つの高音階の上記音階キーが配列され、
上記下列に左右に３個ずつ低音階の上記音階キーが配列されることを特徴とする請求項１乃至３いずれか一項記載の足踏み式キーボード。
【考案の詳細な説明】
【０００１】
【考案の属する技術分野】
本考案は足踏み式キーボードに係るものであり、特に、楽器の機能と脚部用運動器材の機能とを兼ね備え、利用者が足で踏むことによりキーボードを弾くことができる足踏み式キーボードに係るものである。
【０００２】
【従来の技術】
従来の一般的な楽器は、管楽器、弦楽器、打楽器、電子楽器を問わず、大部分は手で操作するか、或は、口で吹いて音を出すものが多い。このような楽器のうち、主に足を使って音を出すものは非常に少なく、楽器の操作は音を出すことのみを目的としている。同様に、一般の運動器材には、身体の全身や腕部、脚部を鍛えるための運動器材が存在する。例えば、脚部用運動器材は、ジョギング用或は歩行用を問わず、脚部の運動に関する単一効果を目的としている。
【０００３】
【考案が解決しようとする課題】
しかしながら、上記のように従来の楽器や運動器材は、単一の効果を目的として操作及び使用しており、一般的な楽器にその他の付加機能、例えば、脚部の運動を行うことができる機能を具備して創意工夫のある器材を開発するまでには至っておらず、楽器及び運動器材の汎用性、機能性に欠けるという問題点があった。
【０００４】
本考案は、足踏み式キーボードにおいて、楽器の機能と脚部用運動器材の機能とを兼ね備え、利用者が足で踏むことによりキーボードを弾くことができる足踏み式キーボードを提供することを目的とする。
【０００５】
【課題を解決するための手段】
前記の目的を図るために、本考案は、地面に広げることができる踏みマットに複数の音階キーと、スピーカーとを具備し、上記踏みマットは、該踏みマットの内部に音の出る電子回路を具備し、上記電子回路は、各音階キーが踏まれたとき、上記スピーカーから予め上記各音階キーに設定された高さの音が出るように設計され、電源が交流或は直流により供給されることにより、楽器の機能と脚部用運動器材の機能とを兼ね備え、利用者が足で踏むことによりキーボードを弾くことができる。従って、楽器及び脚部用運動器材の汎用性、及びそれぞれの機能性を向上させることができる。
【０００６】
また、前記の目的を図るために、本考案は、上記踏みマットが表面層の材料に折りたたんで収納することができる軟質プラスチックシートを使用することにより、簡便に折り畳むことができ、場所を取ることなく収納することができる。
【０００７】
また、前記の目的を図るために、本考案は、上記踏みマットが一つの表示板を具備することにより、音階キーに対応する音階（例えば鍵盤など）と、踏まれた音階キーの音階とを識別可能なように表示させるなど、機能性を向上させることができる。
【０００８】
また、前記の目的を図るために、本考案は、上記音階キーは、上列、中列、下列の３列に区分され、上記上列、上記中列、上記下列のそれぞれには、上記中列の中心に立った使用者が足で操作しやすい位置に配列され、上記中列の左右に３個ずつ中音階の上記音階キーが配列され、上記上列の中心に音量調節キー及びメロディー選択キーが配列され、上記上列中心の左右に３個ずつ１つの中音階及び５つの高音階の上記音階キーが配列され、上記下列に左右に３個ずつ低音階の上記音階キーが配列されることにより、両足で音楽演奏をしながら効率良く運動を行うことができる。
【０００９】
以下に添付図面を参照して本考案のある好適な実施の形態を詳細に説明するが、それらの構成は本考案の構造の絶対的な制限にならない。
【００１０】
【考案の実施の形態】
図１は、本考案に係る足踏み式キーボードを示す斜視図である。図２は、本考案に係る足踏み式キーボードを示す平面図である。図３は、本考案に係る足踏み式キーボードを示す側視平面図である。図１、図２、図３に示すように、本考案の足踏み式キーボードは、一つの地面に広げることができる踏みマット１０に音階キー１１、スピーカー１２を具備している。踏みマット１０は、内部に音の出る電子回路を具備している。電子回路は、各音階キー１１が踏まれた時、スピーカー１２から予め各音階キー１１に設定された高さの音が出るように設計されている。その電子回路には、電源が交流或は直流により供給される。このような音階キー１１を足で踏むことにより、キーボードを弾く機能を有し、楽器と脚部用運動器材を兼具することができる。
【００１１】
また、図１、図２に示すように、踏みマット１０は一つの表示板１３を具備することができる。この表示板１３に、音階キー１１に対応する音階（例えば鍵盤など）と、踏まれた音階キー１１の音階とを識別可能なように表示させることも可能である。
【００１２】
図２に示すように、音階キー１１は、上列、中列、下列の３列に区分することができ、各上列、中列、下列には、中列の中心に立った使用者が足で操作しやすい位置に音階キー１１が配列され、左右に３個ずつ中音階の音階キー１１を配列設定する。また、上列中心に音量調節キー１４及びメロディー選択キー１５を配列し、更に、左右に３個ずつ音階キー１１を配列し、１つの中音階と５つの高音階を設定し、下列にも左右に３個ずつ低音階の音階キー１１を配列設定する。
【００１３】
図４は、本考案に係る足踏み式キーボードを折り畳んだ状態を示す側視平面図である。踏みマット１０は、表面層の材料に軟質プラスチックシートを使用することで、図４及び図３に示すように折りたたんで収納することができる。これにより、簡便に折り畳むことができ、場所を取ることなく収納することができる。
【００１４】
図５は、本考案に係る足踏み式キーボードの使用例を示す図である。図５及び図２に示すように、本考案の足踏み式キーボードの音階キー１１を足で踏むことにより、キーボードを弾く機能を有することができる。使用時、使用者は上記踏みマット１０の中心に立ち、両足を使用し、左足で左側の９個の音階キー１１の範囲を操作し（即ち、足で踏み）、右足で右側の９個の音階キー１１の範囲を操作する（即ち、足で踏み）。従って、両足により音楽演奏をしながら効率良く運動を行うことができる。
【００１５】
このように、本考案の足踏み式キーボードは、一種の足踏み式キーボードの構造を提供するもので、足で踏むことにより、キーボードを弾く機能を有することができ、楽器と脚部用運動器材の機能を兼具することができる。
【００１６】
また、本考案の足踏み式キーボードを地面に広げ、キーボード上に立ち、使用者が弾きたい音楽のリズムに合わせ、両足でダンスをするように足を動かしながら、音階に合わせた音階キー１１を踏み、キーボードを弾くことにより、同時に運動と楽器演奏の効果を得ることができる。
【００１７】
尚、本考案の足踏み式キーボードは上記の構成や音階キー１１の位置関係に限定されることなく、本考案の足踏み式キーボードを変形及び改良した構成においても適応可能である。
【００１８】
【考案の効果】
前記の説明と図面の掲載からわかるように、本考案の足踏み式キーボードにおいて、地面に広げることができる踏みマットに複数の音階キーと、スピーカーとを具備し、上記踏みマットは、該踏みマットの内部に音の出る電子回路を具備し、上記電子回路は、各音階キーが踏まれたとき、上記スピーカーから予め上記各音階キーに設定された高さの音が出るように設計され、電源が交流或は直流により供給されることにより、楽器の機能と脚部用運動器材の機能とを兼ね備え、利用者が足で踏むことによりキーボードを弾くことができる。従って、楽器及び脚部用運動器材の汎用性、及びそれぞれの機能性を向上させることができる。
【図面の簡単な説明】
【図１】本考案に係る足踏み式キーボードを示す斜視図である。
【図２】本考案に係る足踏み式キーボードを示す平面図である。
【図３】本考案に係る足踏み式キーボードを示す側視平面図である。
【図４】本考案に係る足踏み式キーボードを折り畳んだ状態を示す側視平面図である。
【図５】本考案に係る足踏み式キーボードの使用例を示す図である。
【符号の説明】
１０　　　　　踏みマット
１１　　　　　音階キー
１２　　　　　スピーカー
１３　　　　　表示板
１４　　　　　音量調節キー
１５　　　　　メロディー選択キー
【図１】
0003097657.tif 000003
【図２】
0003097657.tif 000004
【図３】
0003097657.tif 000005
【図４】
0003097657.tif 000006
【図５】
0003097657.tif 000007